(57)【要約】【課題】読取装置による放射線画像情報の読取りを撮影技師等に促すことが可能な放射線画像撮影システム及び放射線画像撮影方法を提供する。【解決手段】蓄積性蛍光体パネルＰを収納したカセッテ１１０が読取装置２６のカセッテ装填部１２０に装填されたとき、第２コンソール２０は、放射線源６４による放射線Ｘの次回の照射を許可する。カセッテ１１０が装填されるまで放射線Ｘの次回の照射を許可しないことにより、撮影技師等にカセッテ１１０の装填を促すことができる。その結果、例えば、既に放射線画像情報を記録している蓄積性蛍光体パネルＰに対する不適切な放射線Ｘの照射を防止することができる。【選択図】図２
2009201731.tif 000002
【特許請求の範囲】
【請求項１】
放射線を照射する放射線源と、
前記放射線源による放射線の照射を制御する制御装置と、
被写体を透過した前記放射線を検出し、放射線画像情報として記録する放射線変換パネルと、
前記放射線変換パネルから前記放射線画像情報を読み取る読取装置と、
前記読取装置に対する前記放射線変換パネルの装填状況、前記読取装置による前記放射線画像情報の読取り状況、又は前記読取装置に対する前記放射線変換パネルの接近状況を判定し、その判定結果を前記制御装置に通知する判定手段と、
を備え、
前記制御装置は、前記判定結果に応じて前記放射線の次回の照射の許否を判定する
ことを特徴とする放射線画像撮影システム。
【請求項２】
請求項１記載の放射線画像撮影システムにおいて、
前記制御装置は、前記放射線画像情報を記録している前記放射線変換パネルが前記読取装置に装填されたとき、前記放射線の次回の照射を許可する
ことを特徴とする放射線画像撮影システム。
【請求項３】
請求項２記載の放射線画像撮影システムにおいて、
前記制御装置及び前記読取装置は、前記放射線変換パネルの識別情報を読み取る識別情報読取手段をそれぞれ備え、
前記制御装置は、前記放射線変換パネルが前記読取装置に装填されても、前記制御装置の前記識別情報読取手段が読み取った前記識別情報と、前記読取装置の前記識別情報読取手段が読み取った前記識別情報とが一致しないとき、前記放射線の次回の照射を許可しない
ことを特徴とする放射線画像撮影システム。
【請求項４】
請求項１記載の放射線画像撮影システムにおいて、
前記制御装置は、前記読取装置による前記放射線画像情報の読取りが終了したとき、前記放射線の次回の照射を許可する
ことを特徴とする放射線画像撮影システム。
【請求項５】
請求項１記載の放射線画像撮影システムにおいて、
前記読取装置及び前記放射線変換パネルには無線通信手段が設けられ、
前記制御装置は、前記読取装置と前記放射線変換パネルとの間で無線通信が確立したとき、前記放射線の次回の照射を許可する
ことを特徴とする放射線画像撮影システム。
【請求項６】
放射線源から被写体に対して放射線を照射し、前記被写体を透過した前記放射線に応じた放射線画像情報を前記放射線変換パネルに記録する画像情報記録ステップと、
前記画像情報記録ステップの後、前記放射線の次回の照射を一時的に禁止する放射線照射禁止ステップと、
前記放射線照射禁止ステップの後、前記放射線変換パネルが前記読取装置に装填されたとき、前記読取装置による前記放射線画像情報の読取りが所定程度まで行われたとき、又は前記放射線変換パネルが前記読取装置に所定距離まで接近したとき、一時的に禁止していた前記放射線の次回の照射を許可する放射線照射許可ステップと、
を備える放射線画像撮影方法。
【発明の詳細な説明】
【技術分野】
【０００１】
この発明は、放射線を照射する放射線源と、前記放射線源による放射線の照射を制御する制御装置と、被写体を透過した前記放射線を検出し、放射線画像情報として記録する放射線変換パネルと、前記放射線変換パネルから前記放射線画像情報を読み取る読取装置と、を備える放射線画像撮影システム及びこれを用いる放射線画像撮影方法に関する。
【背景技術】
【０００２】
立位撮影装置、Ｘ線乳房撮影装置（マンモグラフィ装置）等の放射線画像撮影装置の中には、被写体を透過した放射線を蓄積性蛍光体パネル（ＩＰ）等の放射線変換パネルを用いて放射線画像情報として蓄積記録するものが知られている（例えば、特許文献１、２）。放射線変換パネルに蓄積記録された放射線画像情報は、放射線変換パネルを読取装置に装填し、読取光源部を走査させて読取光を照射することにより読み取られる。
【０００３】
【特許文献１】特開２００４−２８７０４０号公報
【特許文献２】特開２００４−２９８３８３号公報
【発明の開示】
【発明が解決しようとする課題】
【０００４】
特許文献１、２では、放射線画像撮影時又はその後の画像情報の読取り時に放射線変換パネル又はこれを収納しているカセッテが適切なものであるかが確認されるが、放射線撮影後に速やかに画像情報の読取りを行わせるための対策は講じられていない。このため、例えば、放射線撮影後に放射線変換パネル又はカセッテが何らかの理由で放射線源の近くに置かれたままになっているときに別の放射線撮影がなされると、既に放射線画像情報を記録している放射線変換パネルには当該別の放射線撮影に伴う不適切な放射線照射がなされてしまう。
【０００５】
この発明は、上記の課題に鑑みなされたものであり、読取装置による放射線画像情報の読取りを撮影技師等に促すことが可能な放射線画像撮影システム及び放射線画像撮影方法を提供することを目的とする。
【課題を解決するための手段】
【０００６】
この発明に係る放射線画像撮影システムは、放射線を照射する放射線源と、前記放射線源による放射線の照射を制御する制御装置と、被写体を透過した前記放射線を検出し、放射線画像情報として記録する放射線変換パネルと、前記放射線変換パネルから前記放射線画像情報を読み取る読取装置と、前記読取装置に対する前記放射線変換パネルの装填状況、前記読取装置による前記放射線画像情報の読取り状況、又は前記読取装置に対する前記放射線変換パネルの接近状況を判定し、その判定結果を前記制御装置に通知する判定手段と、を備え、前記制御装置は、前記判定結果に応じて前記放射線の次回の照射の許否を判定することを特徴とする。
【０００７】
この発明によれば、読取装置に対する放射線変換パネルの装填状況、読取装置による放射線画像情報の読取り状況、又は読取装置に対する放射線変換パネルの接近状況に応じて放射線の次回の照射の許否が判定される。前記装填状況、読取り状況及び接近状況はいずれも読取装置による放射線画像情報の読取りが行われることに伴って変化するものである。例えば、読取装置による放射線画像情報の読取りの際には、放射線変換パネルを読取装置に近づけ、放射線変換パネルを読取装置に装填する必要がある。従って、上記の各状況を用いて放射線画像情報の読取りの進捗状況を把握することができる。このため、上記の各状況に応じて放射線の次回の照射の許否を決定することで、撮影技師等に読取処理の実施を促すことができる。その結果、例えば、既に放射線画像情報を記録している放射線変換パネルに対する不適切な放射線の照射を防止することができる。
【０００８】
上記において、前記制御装置は、例えば、前記放射線画像情報を記録している前記放射線変換パネルが前記読取装置に装填されたとき、前記放射線の次回の照射を許可することができる。その場合、前記制御装置及び前記読取装置は、前記放射線変換パネルの識別情報を読み取る識別情報読取手段をそれぞれ備え、前記制御装置は、前記放射線変換パネルが前記読取装置に装填されても、前記制御装置の前記識別情報読取手段が読み取った前記識別情報と、前記読取装置の前記識別情報読取手段が読み取った前記識別情報とが一致しないとき、前記放射線の次回の照射を許可しないことが好ましい。これにより、放射線変換パネルの取り違いを防止することができる。
【０００９】
或いは、前記制御装置は、前記読取装置による前記放射線画像情報の読取りが終了したとき、前記放射線の次回の照射を許可してもよい。
【００１０】
また、前記読取装置及び前記放射線変換パネルには無線通信手段が設けられ、前記制御装置は、前記読取装置と前記放射線変換パネルとの間で無線通信が確立したとき、前記放射線の次回の照射を許可することもできる。
【００１１】
この発明に係る放射線画像撮影方法は、放射線源から被写体に対して放射線を照射し、前記被写体を透過した前記放射線に応じた放射線画像情報を前記放射線変換パネルに記録する画像情報記録ステップと、前記画像情報記録ステップの後、前記放射線の次回の照射を一時的に禁止する放射線照射禁止ステップと、前記放射線照射禁止ステップの後、前記放射線変換パネルが前記読取装置に装填されたとき、前記読取装置による前記放射線画像情報の読取りが所定程度まで行われたとき、又は前記放射線変換パネルが前記読取装置に所定距離まで接近したとき、一時的に禁止していた前記放射線の次回の照射を許可する放射線照射許可ステップと、を備える。
【発明の効果】
【００１２】
この発明によれば、読取装置に対する放射線変換パネルの装填状況、読取装置による放射線画像情報の読取り状況、又は読取装置に対する放射線変換パネルの接近状況に応じて放射線の次回の照射の許否が判定される。前記装填状況、読取り状況及び接近状況はいずれも読取装置による放射線画像情報の読取りが行われることに伴って変化するものである。例えば、読取装置による放射線画像情報の読取りの際には、放射線変換パネルを読取装置に近づけ、放射線変換パネルを読取装置に装填する必要がある。従って、上記の各状況を用いて放射線画像情報の読取りの進捗状況を把握することができる。このため、上記の各状況に応じて放射線の次回の照射の許否を決定することで、撮影技師等に読取処理の実施を促すことができる。その結果、例えば、既に放射線画像情報を記録している放射線変換パネルに対する不適切な放射線の照射を防止することができる。
【発明を実施するための最良の形態】
【００１３】
以下、この発明の一実施形態について図面を参照して説明する。
【００１４】
図１は、本実施形態の放射線画像撮影システム１０の模式的説明図であり、図２は、放射線画像撮影システム１０の構成ブロック図である。放射線画像撮影システム１０は、病院内の医療事務処理を管理する医事情報システム１２（ＨＩＳ：Hospital Information System）と、ＨＩＳ１２の管理下において、放射線科での放射線画像の撮影処理を管理する放射線科情報システム１４（ＲＩＳ：Radiology Information System）と、医師による診断読影を行うためのビューア１５と、放射線科の撮影室に隣接する処理室に設置され、仕様の異なる各種撮影装置を管理制御するホストコンソール１６と、前記処理室に設置され、特定の撮影装置を管理制御する第１コンソール１８及び第２コンソール２０と、第１コンソール１８により制御される第１撮影装置２２と、第２コンソール２０により制御される第２撮影装置２４と、第２コンソール２０により制御され、第２撮影装置２４により撮影された放射線画像情報を読み取る読取装置２６とを備え、これらが院内ネットワーク２８によって相互に接続されている。院内ネットワーク２８には、必要に応じてさらに他のコンソール、撮影装置等を接続することができる。
【００１５】
ホストコンソール１６は、ＨＩＳ１２を用いて設定した患者の氏名、性別、年齢等の患者情報、ＲＩＳ１４を用いて医師又は技師が設定した当該患者に対する放射線画像の撮影方法、撮影部位、撮影に使用する撮影装置等の撮影指示情報を院内ネットワーク２８を介して取得し、これらの情報を対応する第１コンソール１８又は第２コンソール２０に供給する。なお、ホストコンソール１６は、第１コンソール１８又は第２コンソール２０による処理を代行することもできる。従って、第１コンソール１８又は第２コンソール２０をホストコンソール１６に置き換えることで、より安価なシステム構成とすることができる。ホストコンソール１６及び第２撮影装置２４には、後述する第１撮影装置２２に適用される放射線変換パネル７０又は蓄積性蛍光体パネルＰを特定するための識別情報（ＩＤ情報）を取得するバーコードリーダ３０、３２が接続される。
【００１６】
第１撮影装置２２は、被写体５０のマンモ５２の放射線画像を撮影するマンモグラフィ装置であり、基台５４に対して旋回可能に連結されたアーム部材５６の一端部に配設された放射線源収納部５８と、アーム部材５６の他端部に配設された撮影台６０と、撮影台６０に対して近接離間可能に構成された圧迫板６２とを備える。
【００１７】
放射線源収納部５８には、放射線Ｘを出力する放射線源６４が収納される。放射線源６４は、放射線源制御部６６によって管電圧、管電流及び放射線Ｘの照射時間が制御されることで、撮影部位に応じた所定の線量からなる放射線Ｘを被写体５０のマンモ５２に照射する。被写体５０を透過した放射線Ｘは、放射線変換パネル（ＦＰＤ：Flat Panel Detector）７０により、放射線画像情報に変換される。また、第１撮影装置２２には、放射線変換パネル７０からの放射線画像情報の読取り等を行う制御部１００が設けられている。
【００１８】
第２撮影装置２４は、被写体５０の胸部等の放射線画像を撮影する立位撮影装置であり、放射線源制御部１０２によって制御される放射線源１０４と、放射線源１０４に対向して配置される撮影台１０８とから構成される。撮影台１０８の側部には、蓄積性蛍光体パネルＰを収納したカセッテ１１０が装填されるスロット１１２が配設される。
【００１９】
蓄積性蛍光体パネルＰは、照射された放射線Ｘのエネルギを蓄積する蓄積性蛍光体層を支持体上に形成したもので、励起光を照射することにより蓄積されたエネルギに応じた輝尽発光光を出力する一方、所定光量の消去光を照射することにより残存するエネルギを除去して再使用できるものである。
【００２０】
カセッテ１１０は、蓄積性蛍光体パネルＰを蓋部材１１４を介して収脱可能に収納するもので、その外面部には、内部に収納されている蓄積性蛍光体パネルＰを個別に識別するための固有番号、サイズ、感度等の識別情報が記録されたバーコード１１６が装着される。バーコード１１６は、第２コンソール２０に接続されたバーコードリーダ３２、又は、ホストコンソール１６に接続されたバーコードリーダ３０によって読み取ることができる。
【００２１】
読取装置２６は、制御部３４と読取機構３６とからなり、蓄積性蛍光体パネルＰに記録された放射線画像情報を読み取る。図３は、読取装置２６の読取機構３６の構成を示す。図３に示すように、読取装置２６は、ケーシング１１８の上部にカセッテ装填部１２０を備え、このカセッテ装填部１２０に形成された装填口１２２に対して、放射線画像情報が蓄積記録された蓄積性蛍光体パネルＰを収納したカセッテ１１０が装填される。装填口１２２に近接して、カセッテ１１０に配設されたバーコード１１６の識別情報を読み取るバーコードリーダ１２４と、カセッテ１１０の蓋部材１１４のロックを解除するロック解除機構１２６と、蓋部材１１４が開蓋されたカセッテ１１０から蓄積性蛍光体パネルＰを吸着して取り出す吸着盤１２８と、吸着盤１２８によって取り出された蓄積性蛍光体パネルＰを挟持搬送するニップローラ１３０とが配設される。
【００２２】
ニップローラ１３０に連設して、複数の搬送ローラ１３２ａ〜１３２ｇ及び複数のガイド板１３４ａ〜１３４ｆが配設され、これらにより湾曲搬送路１３６が構成される。湾曲搬送路１３６は、カセッテ装填部１２０から下方向に延在した後、最下部において略水平状態となり、次いで、略鉛直上方向に延在する。これにより、読取装置２６の小型化が達成される。
【００２３】
ニップローラ１３０と搬送ローラ１３２ａとの間には、読取処理が終了した蓄積性蛍光体パネルＰに残存する放射線画像情報を消去するための消去部１３８が配設される。消去部１３８は、消去光を出力する冷陰極管等の消去光源１４０を有する。
【００２４】
湾曲搬送路１３６の最下部に配設される搬送ローラ１３２ｄ、１３２ｅ間には、プラテンローラ１４２が配設される。そして、プラテンローラ１４２の上部には、蓄積性蛍光体パネルＰに蓄積記録された放射線画像情報を読み取る走査ユニット１４４が配設される。
【００２５】
走査ユニット１４４は、励起光であるレーザビームＬＢを導出して蓄積性蛍光体パネルＰを走査する励起部１４６と、レーザビームＬＢによって励起されて出力される放射線画像情報に係る輝尽発光光を読み取る読取部１４８とを備える。
【００２６】
励起部１４６は、レーザビームＬＢを出力するレーザ発振器１５０と、レーザビームＬＢを蓄積性蛍光体パネルＰの主走査方向に偏向する回転多面鏡であるポリゴンミラー１５２と、レーザビームＬＢを反射させ、プラテンローラ１４２上を通過する蓄積性蛍光体パネルＰに導く反射ミラー１５４とを備える。
【００２７】
読取部１４８は、一端部がプラテンローラ１４２上の蓄積性蛍光体パネルＰに近接して配置される集光ガイド１５６と、集光ガイド１５６の他端部に連結され、蓄積性蛍光体パネルＰから得られた輝尽発光光を電気信号に変換するフォトマルチプライヤ１５８とを備える。なお、集光ガイド１５６の一端部には、輝尽発光光の集光効率を高めるための集光ミラー１６０が近接して配設される。また、フォトマルチプライヤ１５８によって読み取られた放射線画像情報は、院内ネットワーク２８を介して読取装置２６から第２コンソール２０に供給される。
【００２８】
院内ネットワーク２８には、放射線変換パネル７０を使用した第１撮影装置２２であるマンモグラフィ装置に加えて、図２に示す蓄積性蛍光体パネルＰを有するカセッテ１１０を使用したマンモグラフィ装置を接続することができる。同様に、蓄積性蛍光体パネルＰを使用した第２撮影装置２４に加えて、放射線変換パネル７０を使用した立位撮影装置を接続することができる。また、放射線変換パネル７０又は蓄積性蛍光体パネルＰを使用した臥位撮影装置を接続することができる。院内ネットワーク２８には、さらに、他の仕様形態の撮影装置、例えば、ＣＴ装置、ＭＲ装置を接続することができるとともに、これらの撮影装置を制御するコンソール（処理装置）を接続することができる。
【００２９】
本実施形態の放射線画像撮影システム１０は、基本的に以上のように構成されるものであり、次に本実施形態の第２撮影装置２４を用いた被写体５０の胸部撮影及びその後の処理について説明する。
【００３０】
図４には、第２コンソール２０を用いて第２撮影装置２４を制御し、被写体５０の胸部撮影を行うフローチャートが示されている。
【００３１】
ステップＳ１において、ホストコンソール１６から撮影指示情報（放射線画像の撮影方法、撮影部位、撮影に使用する撮影装置等）を受信した第２コンソール２０は、第２撮影装置２４の放射線源制御部１０２に対し、撮影指示情報に含まれる撮影条件である管電圧、管電流及び放射線の照射時間を設定する。
【００３２】
一方、ステップＳ２において、撮影技師は、第２コンソール２０に接続されたバーコードリーダ３２を用いて、カセッテ１１０に装着されたバーコード１１６を読み取ることにより、カセッテ１１０に収納されている蓄積性蛍光体パネルＰを識別するための固有番号、サイズ、感度等の識別情報を取得する。
【００３３】
ステップＳ３において、第２撮影装置２４の図示しない曝射スイッチを撮影技師が操作すると、放射線源制御部１０２は、設定された撮影条件に従って放射線源１０４を駆動制御し、放射線Ｘを被写体５０に照射する。被写体５０を透過した放射線Ｘは、カセッテ１１０に収納されている蓄積性蛍光体パネルＰに照射される。この結果、蓄積性蛍光体パネルＰに被写体５０の放射線画像情報が蓄積記録される。
【００３４】
ステップＳ４において、第２コンソール２０は、放射線源１０４による放射線Ｘの次回の照射を禁止する放射線照射禁止信号を放射線源制御部１０２に送信する。この放射線照射禁止信号を受信した放射線源制御部１０２は、前記曝射スイッチが操作されても放射線Ｘの次回の照射を許可しない。
【００３５】
ステップＳ５において、撮影技師によりカセッテ１１０が第２撮影装置２４のスロット１１２から取り外され、読取装置２６のカセッテ装填部１２０に装填されると、カセッテ装填部１２０に配設されているバーコードリーダ１２４がカセッテ１１０に装着されたバーコード１１６を読み取り、蓄積性蛍光体パネルＰの固有番号、サイズ、感度等の識別情報を取得する。取得した識別情報は、ステップＳ６において、読取装置２６から第２コンソール２０に送信される。第２コンソール２０は、この識別情報を受信することにより、カセッテ１１０が読取装置２６に装填されたことを知ることができる。
【００３６】
ステップＳ７において、第２コンソール２０は、読取装置２６から受信したカセッテ１１０の識別情報と、第２コンソール２０に接続されたバーコードリーダ３２によって取得した識別情報とが一致するかどうかを判定する。両識別情報が一致しない場合（Ｓ７：Ｎｏ）、ステップＳ８において、第２コンソール２０は、放射線画像撮影を行ったカセッテ１１０と、読取装置２６に装填されているカセッテ１１０とが異なる旨を、例えば、第２コンソール２０の表示装置２０ａ（図１）に表示する。この場合、第２コンソール２０は、放射線Ｘの次回の照射を許可する放射線照射許可信号を第２撮影装置２４に送信しない。一方、両識別情報が一致した場合（Ｓ７：Ｙｅｓ）、ステップＳ９において、第２コンソール２０は、第２撮影装置２４の放射線源制御部１０２に対し、放射線Ｘの次回の照射を許可する放射線照射許可信号を送信する。この放射線照射許可信号を受けた放射線源制御部１０２は、第２コンソール２０からの指令及び撮影技師による曝射スイッチの操作（ステップＳ１〜Ｓ３参照）に応じて放射線Ｘの次回の照射を行う。
【００３７】
また、ステップＳ１０において、読取装置２６は、カセッテ１１０の蓄積性蛍光体パネルＰに記録されている放射線画像情報を読み取る。具体的には、読取機構３６のロック解除機構１２６が駆動され、蓋部材１１４のロック状態が解除されて開蓋される。次いで、吸着盤１２８が蓄積性蛍光体パネルＰを吸着し、カセッテ１１０から蓄積性蛍光体パネルＰを取り出してニップローラ１３０間に供給する。ニップローラ１３０により挟持された蓄積性蛍光体パネルＰは、搬送ローラ１３２ａ〜１３２ｇ及びガイド板１３４ａ〜１３４ｆからなる湾曲搬送路１３６を介して、走査ユニット１４４の下部に搬送される。
【００３８】
蓄積性蛍光体パネルＰは、搬送ローラ１３２ｄ及び１３２ｅにより略水平方向に副走査搬送される。一方、励起部１４６を構成するレーザ発振器１５０から出力されたレーザビームＬＢは、高速で回転するポリゴンミラー１５２によって反射偏向された後、反射ミラー１５４を介して下面部がプラテンローラ１４２により支持された蓄積性蛍光体パネルＰに導かれ、蓄積性蛍光体パネルＰを主走査する。
【００３９】
蓄積性蛍光体パネルＰは、レーザビームＬＢが照射されることで励起され、蓄積記録されている放射線画像情報に応じた輝尽発光光を出力する。この輝尽発光光は、蓄積性蛍光体パネルＰの主走査方向に沿って近接配置された集光ガイド１５６の下端部に直接入射し、あるいは、集光ミラー１６０を介して入射する。集光ガイド１５６に入射した輝尽発光光は、内部で反射を繰り返し、上端部のフォトマルチプライヤ１５８に導かれる。フォトマルチプライヤ１５８は、入射した輝尽発光光を電気信号に変換し、これによって、蓄積性蛍光体パネルＰに蓄積記録されている放射線画像情報が読み取られる。走査ユニット１４４によって読み取られた放射線画像情報は、院内ネットワーク２８を介して読取装置２６から第２コンソール２０に送信される。
【００４０】
続くステップＳ１１において、第２コンソール２０は、受信した放射線画像情報に対して第２撮影装置２４の仕様に応じた画像処理を施し、必要に応じて放射線画像を表示装置２０ａに表示させる。そして、ステップＳ１２において、院内ネットワーク２８を介して第２コンソール２０から放射線画像情報をビューア１５に送信する。医師は、ビューア１５に表示された放射線画像情報に基づき、必要な読影診断を行う。
【００４１】
以上のように、上記実施形態では、蓄積性蛍光体パネルＰを収納したカセッテ１１０が読取装置２６のカセッテ装填部１２０に装填されたとき（バーコードリーダ１２４がカセッテ１１０のバーコード１１６を読み取ったとき）、第２コンソール２０は、放射線Ｘの次回の照射を許可する。カセッテ１１０が装填されるまで放射線Ｘの次回の照射を許可しないことにより、撮影技師にカセッテ１１０の装填を促すことができる。その結果、例えば、既に放射線画像情報を記録している蓄積性蛍光体パネルＰに対する不適切な放射線Ｘの照射を防止することができる。
【００４２】
上記実施形態では、第２コンソール２０及び読取装置２６は、カセッテ１１０の識別情報を読み取るバーコードリーダ３２、１２４を備え、第２コンソール２０は、カセッテ１１０が読取装置２６に装填されても、第２コンソール２０のバーコードリーダ３２が読み取ったカセッテ１１０の識別情報と、読取装置２６のバーコードリーダ１２４が読み取ったカセッテ１１０の識別情報とが一致しないとき（図４のＳ７：Ｎｏ）、カセッテ１１０の不一致を表示し、放射線Ｘの次回の照射を許可しない（Ｓ８）。これにより、カセッテ１１０の取り違いを防止することができる。
【００４３】
なお、この発明は、上記実施形態に限らず、この明細書の記載内容に基づき、種々の構成を採り得ることはもちろんである。例えば、以下に示す構成を採ることができる。
【００４４】
上記実施形態では、立位撮影装置である第２撮影装置２４の構成について説明したが、マンモグラフィ装置等の放射線画像撮影装置にも用いることができる。
【００４５】
上記実施形態では、放射線Ｘの今回の照射（図４のＳ３）を契機（判定条件）として、放射線Ｘの次回の照射を禁止したが（Ｓ４）、これに限られない。例えば、カセッテ１１０が第２撮影装置２４のスロット１１２から取り出されたことを契機として次回の照射を禁止することもできる。カセッテ１１０がスロット１１２から取り出されたことは、例えば、カセッテ１１０がスロット１１２に装填されているかどうかを検出するセンサをスロット１１２の近傍に設けておくことで判定可能である。
【００４６】
上記実施形態では、読取装置２６のバーコードリーダ１２４で読み取ったカセッテ１１０の識別情報を用いて、カセッテ１１０が読取装置２６に装填されたことを確認したが、これに限られない。例えば、読取装置２６のロック解除機構１２６、吸着盤１２８等が作動したことを契機（判定条件）として読取装置２６から第２コンソール２０に所定の信号を送信することにより、カセッテ１１０が読取装置２６に装填されたことを確認することもできる。
【００４７】
上記実施形態では、放射線Ｘの次回の照射を許可する契機（判定条件）として、カセッテ１１０が読取装置２６に装填されたこと（図４のＳ５〜Ｓ７）を用いたが、これに限られない。例えば、図５に示すように、読取装置２６による放射線画像情報の読取りが終了したことを契機とすることもできる。なお、図５のステップＳ２１〜Ｓ２８、Ｓ３１、Ｓ３２は、図４のステップＳ１〜Ｓ８、Ｓ１１、Ｓ１２と同じである。また、図５のステップＳ２９、Ｓ３０は、図４のステップＳ１０、Ｓ９に対応する。さらに、読取りの終了ではなく、読取りの開始、又は所定割合若しくは所定量の読取りの進行を契機とすることもできる。
【００４８】
或いは、図６に示すように、読取装置２６からカセッテ１１０までの距離が所定範囲内になったことを契機（判定条件）とすることもできる。図７には、図６のフローチャートを実現するための放射線画像撮影システム１０ａの構成ブロック図が示されている。図７の放射線画像撮影システム１０ａは、図２の放射線画像撮影システム１０と基本的に同じであるが、（ａ）第２撮影装置２４に装填判定センサ１０６が設けられ、（ｂ）カセッテ１１０に無線タグ１１１が設けられ、（ｃ）読取装置２６に送受信機３８が設けられている点で異なる。装填判定センサ１０６は、カセッテ１１０がスロット１１２に装填されているかどうかを判定するセンサであり、スロット１１２の近傍に設けられている。無線タグ１１１は、カセッテ１１０の識別情報を記録した無線読取り可能なタグである。送受信機３８は、所定範囲内（例えば、半径１ｍの範囲内）において無線タグ１１１と無線通信が可能である。
【００４９】
図６のステップＳ４１〜Ｓ４４は、図４のステップＳ１〜Ｓ４と同様である。ステップＳ４５において、撮影技師によりカセッテ１１０が第２撮影装置２４のスロット１１２から取り外されると、装填判定センサ１０６がこれを検知し、放射線源制御部１０２及び院内ネットワーク２８を介して第２コンソール２０に通知する。
【００５０】
続くステップＳ４６において、第２コンソール２０は、読取装置２６の制御部３４に対し、カセッテ１１０の接近を監視するよう命令する。この命令を受けた制御部３４は、送受信機３８を動作させてカセッテ１１０が読取装置２６の近くに存在するかどうかを監視する。具体的には、送受信機３８から呼出信号を所定範囲内に送出し、この呼出信号に対する無線タグ１１１からの応答信号の有無を監視する。
【００５１】
カセッテ１１０が読取装置２６の近くに存在しない場合（Ｓ４７：Ｎｏ）、読取装置２６の制御部３４は監視を続ける。カセッテ１１０が読取装置の近くに存在し、無線タグ１１１から応答信号を受信した場合（Ｓ４７：Ｙｅｓ）、制御部３４は、第２コンソール２０に対してその旨を通知する。これを受けた第２コンソール２０は、ステップＳ４８において、第２撮影装置２４の放射線源制御部１０２に対し、放射線Ｘの次回の照射を許可する放射線照射許可信号を送信する。
【００５２】
続くステップＳ４９において、撮影技師によりカセッテ１１０が読取装置２６のカセッテ装填部１２０に装填されると、カセッテ装填部１２０に配設されているバーコードリーダ１２４がカセッテ１１０に装着されたバーコード１１６を読み取り、識別情報を取得する。取得した識別情報は、ステップＳ５０において、読取装置２６から第２コンソール２０に送信される。第２コンソール２０は、この識別情報を受信することにより、カセッテ１１０が読取装置２６に装填されたことを知ることができる。以降のステップＳ５０〜Ｓ５５は、図４のステップＳ６〜Ｓ８、Ｓ１０〜Ｓ１２と同様である。
【００５３】
なお、読取装置２６の送受信機３８とカセッテ１１０の無線タグ１１１との間における無線通信の確立以外の方法で、読取装置２６に対するカセッテ１１０の接近を判定してもよい。
【図面の簡単な説明】
【００５４】
【図１】この発明の一実施形態に係る放射線画像撮影システムの模式的説明図である。
【図２】前記放射線画像撮影システムの構成ブロック図である。
【図３】前記放射線画像撮影システムの読取装置の構成図である。
【図４】本実施形態において、立位撮影装置を制御し、被写体の胸部撮影を行うフローチャートである。
【図５】図４のフローチャートの第１変形例である。
【図６】図４のフローチャートの第２変形例である。
【図７】図６のフローチャートを実現するための放射線画像撮影システムの構成ブロック図である。
【符号の説明】
【００５５】
１０、１０ａ…放射線画像撮影システム    １２…ＨＩＳ
１４…ＲＩＳ                            １６…ホストコンソール
１８…第１コンソール                    ２０…第２コンソール（制御装置）
２２…第１撮影装置                      ２４…第２撮影装置
２６…読取装置                          ２８…院内ネットワーク
３０、３２…バーコードリーダ（識別情報読取手段）
３８…送受信機                          ５０…被写体
６４…放射線源                          １１０…カセッテ
１１１…無線タグ
１２４…バーコードリーダ（判定手段）
Ｐ…蓄積性蛍光体パネル（放射線変換パネル）
Ｘ…放射線
【図１】
2009201731.tif 000003
【図２】
2009201731.tif 000004
【図３】
2009201731.tif 000005
【図４】
2009201731.tif 000006
【図５】
2009201731.tif 000007
【図６】
2009201731.tif 000008
【図７】
2009201731.tif 000009